【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
画像データに基づく画像が表示されたディスプレイにおける、前記画像内の第１領域に対する観察者の視野である第１視野を取得し、
前記画像データに基づく画像が印刷された印刷物における、前記第１領域に相当する領域である第２領域に対する前記観察者の視野である第２視野を取得し、
前記ディスプレイの分光特性に関する情報を取得し、
前記印刷物からの反射光の分光特性に関する情報を取得する取得手段と、
前記第１視野と、前記ディスプレイの分光特性に関する情報と、前記第２視野と、前記印刷物からの反射光の分光特性に関する情報と、に基づき、前記ディスプレイにおいて前記第１視野で前記観察者に知覚される色が、前記印刷物において前記第２視野で前記観察者に知覚される色と対応する色となるように、前記ディスプレイに表示するための画像データを変換する変換手段と、
を備える画像処理装置。
【請求項２】
前記取得手段は、前記第１視野に対応する等色関数と、前記第２視野に対応する等色関数と、を取得し、
前記変換手段は、前記第１視野に対応する等色関数と、前記第２視野に対応する等色関数と、前記ディスプレイの分光特性に関する情報と、前記印刷物からの反射光の分光特性に関する情報と、に基づき、前記画像データの変換を行う請求項１に記載の画像処理装置。
【請求項３】
前記第１視野に対応する等色関数と、前記ディスプレイの分光特性と、に基づき前記第１視野において前記観察者に知覚される前記ディスプレイの色を算出するとともに、
前記第２視野に対応する等色関数と、前記印刷物からの反射光の分光特性と、に基づき前記第２視野において前記観察者に知覚される前記印刷物の色を算出する算出手段をさらに備え、
前記変換手段は、前記算出手段により算出される前記ディスプレイの色と前記印刷物の色に基づき、画像データの変換を行う請求項２に記載の画像処理装置。
【請求項４】
前記変換手段は、前記算出手段により算出される前記ディスプレイの色と前記印刷物の色に基づき、印刷する画像データの第１の画素値と、当該第１の画素値の画像データを印
刷した印刷物において前記第２視野で前記観察者に知覚される色を前記ディスプレイにおいて前記第１視野で前記観察者に知覚させるために前記ディスプレイに表示するための画像データの第２の画素値と、の対応関係を算出し、前記対応関係に基づき前記画像データの変換を行う請求項３に記載の画像処理装置。
【請求項５】
前記変換手段は、前記第１視野と、前記ディスプレイの分光特性に関する情報と、前記第２視野と、前記印刷物からの反射光の分光特性に関する情報と、に基づき予め求められた、印刷する画像データの画素値と、当該画素値の画像データを印刷した印刷物において前記第１視野で前記観察者に知覚される色を前記ディスプレイにおいて前記第２視野で前記観察者に知覚させるために前記ディスプレイに表示するための画像データの画素値と、の対応関係の情報を記憶手段から取得し、前記対応関係に基づき前記画像データの変換を行う請求項１に記載の画像処理装置。
【請求項６】
前記取得手段は、前記印刷物を照明する光源の情報と、前記印刷物に使用される用紙の情報と、前記画像データに基づく画像を印刷する印刷機の情報とを、前記印刷物からの反射光の分光特性に関する情報として取得する請求項１〜５のいずれか１項に記載の画像処理装置。
【請求項７】
前記取得手段は、前記印刷物の観察環境と、前記印刷物の観察環境の光源として想定される光源と、の第２の対応関係の情報を記憶手段から取得するとともに、前記印刷物の観察環境の情報を取得し、前記印刷物の観察環境の情報と前記第２の対応関係の情報とから前記印刷物を照明する光源の情報を取得する請求項６に記載の画像処理装置。
【請求項８】
前記取得手段は、前記観察者から前記画像内の第１領域を指定する入力を受け付け、前記観察者により指定された前記第１領域の情報に基づき前記第１視野を取得する請求項１〜７のいずれか１項に記載の画像処理装置。
【請求項９】
前記取得手段は、前記画像内の複数の領域を前記第１領域の候補として前記観察者に提示し、前記観察者による前記複数の候補のうちいずれかの領域を前記第１領域として選択する入力を受け付け、前記観察者により選択された前記第１領域に基づき前記第１視野を取得する請求項８に記載の画像処理装置。
【請求項１０】
前記観察者により指定される前記第１領域が前記画像内の異なる領域に変更された場合、
前記取得手段は、前記ディスプレイにおける前記変更された第１領域に対する前記観察者の第１視野と、前記変更された第１領域に相当する前記印刷物における第２領域に対する前記観察者の第２視野と、を取得し、
前記変換手段は、前記ディスプレイにおける前記変更された第１領域に対する前記観察者の前記第１視野と、前記変更された第１領域に相当する前記印刷物における第２領域に対する前記観察者の前記第２視野と、前記ディスプレイの分光特性に関する情報と、前記印刷物からの反射光の分光特性に関する情報と、に基づき、前記画像データの変換を行う請求項８又は９に記載の画像処理装置。
【請求項１１】
前記取得手段は、前記ディスプレイと前記観察者との視距離の情報と、前記ディスプレイに表示された前記第１領域の大きさの情報と、を取得し、前記視距離と前記第１領域の大きさに基づき前記第１視野を算出する請求項１〜１０のいずれか１項に記載の画像処理装置。
【請求項１２】
前記取得手段は、前記ディスプレイと前記観察者との視距離を測定する第１センサから前記視距離の情報を取得する請求項１１に記載の画像処理装置。
【請求項１３】
前記取得手段は、前記観察者から前記視距離の情報の入力を受け付け、前記観察者による入力から前記視距離の情報を取得する請求項１１に記載の画像処理装置。
【請求項１４】
前記取得手段は、前記第１領域の画像データと前記ディスプレイの大きさ及び解像度に基づき前記第１領域の大きさを算出する請求項１１〜１３のいずれか１項に記載の画像処理装置。
【請求項１５】
前記取得手段は、前記印刷物と前記観察者との第２の視距離の情報と、前記印刷物に印刷された前記第２領域の大きさの情報を取得し、前記第２の視距離と前記第２領域の大きさに基づき前記第２視野を算出する請求項１〜１４のいずれか１項に記載の画像処理装置。
【請求項１６】
前記取得手段は、前記印刷物と前記観察者との第２の視距離を測定する第２センサから前記第２の視距離の情報を取得する請求項１５に記載の画像処理装置。
【請求項１７】
前記取得手段は、前記観察者から前記第２の視距離の情報の入力を受け付け、前記観察者による入力から前記第２の視距離の情報を取得する請求項１５に記載の画像処理装置。
【請求項１８】
前記取得手段は、前記印刷物の種類と、前記印刷物と観察者との視距離として想定される第２の視距離と、の第３の対応関係の情報を記憶手段から取得するとともに、前記印刷物の種類の情報を取得し、前記印刷物の種類の情報と前記第３の対応関係の情報とから前記第２の視距離の情報を取得する請求項１５に記載の画像処理装置。
【請求項１９】
前記取得手段は、前記第２領域の画像データと前記印刷物が印刷される用紙の大きさに基づき前記第２領域の大きさを算出する請求項１５〜１８のいずれか１項に記載の画像処理装置。
【請求項２０】
画像データに基づく画像が表示されたディスプレイにおける、前記画像内の第１領域に対する観察者の視野である第１視野を取得する工程と、
前記画像データに基づく画像が印刷された印刷物における、前記第１領域に相当する領域である第２領域に対する前記観察者の視野である第２視野を取得する工程と、
前記ディスプレイの分光特性に関する情報を取得する工程と、
前記印刷物からの反射光の分光特性に関する情報を取得する工程と、
前記第１視野と、前記ディスプレイの分光特性に関する情報と、前記第２視野と、前記印刷物からの反射光の分光特性に関する情報と、に基づき、前記ディスプレイにおいて前記第１視野で前記観察者に知覚される色が、前記印刷物において前記第２視野で前記観察者に知覚される色と対応する色となるように、前記ディスプレイに表示するための画像データを変換する変換工程と、
を有する画像処理装置の制御方法。